【手続補正書】
【提出日】令和3年9月1日(2021.9.1)
【手続補正１】
【補正対象書類名】特許請求の範囲
【補正対象項目名】全文
【補正方法】変更
【補正の内容】
【特許請求の範囲】
【請求項１】
カニューレ装置において：
中心軸に沿って整列された第１の貫通孔を規定する第１のハウジングと；
前記中心軸に沿って前記第１の貫通孔と整列された第２の貫通孔を規定する第２のハウジングであって、前記第１のハウジングに対して前記中心軸に沿って軸方向に移動可能な第２のハウジングと；
複数の細長剛性部材であって、当該細長剛性部材の近位端と遠位先端との間で、前記中心軸に沿って前記第１の貫通孔と軸方向に整列した通路を協働して規定する複数の細長剛性部材と；を具え、
前記細長剛性部材の近位端および前記第１のハウジングが、前記中心軸に対して斜めに配向されて相互に係合する第１の舌と第１のガイドとを有する第１のトラックを具え、前記第２のハウジングおよび前記細長剛性部材が、第２の舌と第２のガイドとを有する第２のトラックを具えており、前記中心軸に沿った前記第１のハウジングに対する前記第２のハウジングの軸方向の移動によって、前記複数の細長剛性部材が、前記中心軸に対して外側に斜めに移動して、互いに離れるように移動して前記通路のサイズを増大させることを特徴とするカニューレ装置。
【請求項２】
請求項１に記載のカニューレ装置において、前記細長剛性部材のそれぞれが第１の舌を含み、当該第１の舌が前記第１のハウジング内の対応する第１のガイド内でスライドすることを特徴とするカニューレ装置。
【請求項３】
請求項１に記載のカニューレ装置において、前記第２のトラックが、前記中心軸に対して半径方向に配向されていることを特徴とするカニューレ装置。
【請求項４】
請求項３に記載のカニューレ装置において、前記細長剛性部材のそれぞれが第２の舌を含み、当該第２の舌が前記第２のハウジング内の対応する第２のガイド内でスライドすることを特徴とするカニューレ装置。
【請求項５】
請求項４に記載のカニューレ装置において、前記第２の舌が、前記細長剛性部材のそれぞれにある第１の舌に対して遠位に配置されていることを特徴とするカニューレ装置。
【請求項６】
請求項１に記載のカニューレ装置において、前記第１のハウジングが、少なくとも部分的に前記第２のハウジングの第２の貫通孔内に収容されていることを特徴とするカニューレ装置。
【請求項７】
請求項１に記載のカニューレ装置において、前記細長剛性部材のそれぞれが、挿入を容易にするようにテーパが付けられた遠位先端を有することを特徴とするカニューレ装置。
【請求項８】
請求項１に記載のカニューレ装置において、前記第２のハウジングが、少なくとも部分的に前記第１のハウジングを囲むように構成されていることを特徴とするカニューレ装置。
【請求項９】
請求項１に記載のカニューレ装置が、さらに、前記第１の貫通孔と前記第２の貫通孔とを軸方向に整列させるためのセンタリング機構を具えることを特徴とするカニューレ装置。
【請求項１０】
請求項９に記載のカニューレ装置において、前記センタリング機構が、前記第２のハウジング上の複数の同心特徴と、前記第１のハウジング上の複数の相補的な同心特徴とを有することを特徴とするカニューレ装置。
【請求項１１】
請求項１０に記載のカニューレ装置において、前記同心特徴が複数のピンを有し、前記相補的な同心特徴が、前記複数のピンを受け入れるための複数のレセプタクルを有することを特徴とするカニューレ装置。
【請求項１２】
請求項１に記載のカニューレ装置が、さらに、前記第１のハウジングの内側に逆止弁を具え、当該逆止弁が、ガスを抜き出して特定の許容圧力範囲に通気領域を維持する、または注入された流体の逆流を防ぐように構成されていることを特徴とするカニューレ装置。
【請求項１３】
カニューレ装置において：
中心軸に沿って整列された第１の貫通孔を規定する第１のハウジングと；
前記中心軸に沿って前記第１の貫通孔と整列された第２の貫通孔を規定する第２のハウジングであって、前記第１のハウジングに対して前記中心軸に沿って軸方向に移動可能な第２のハウジングと；
複数の細長剛性部材であって、当該細長剛性部材の近位端と遠位先端との間で、前記中心軸に沿って前記第１の貫通孔と軸方向に整列した通路を協働して規定する複数の細長剛性部材と；を具え、
前記細長剛性部材の近位端および前記第１のハウジングが、前記中心軸に対して斜めに配向されて相互に係合する第１の舌と第１のガイドとを有する第１のトラックを具え、前記第２のハウジングおよび前記細長剛性部材が、前記中心軸に対して半径方向に配向された第２の舌と第２のガイドとを有する第２のトラックを具えており、前記中心軸に沿った前記第１のハウジングに対する前記第２のハウジングの軸方向の移動によって、前記第１の舌が前記第１のガイドに沿って斜めにスライドし、前記第２の舌が前記第２のガイドに沿って半径方向にスライドし、複数の前記細長剛性部材の近位端が互いに離れるように移動して前記通路のサイズを増大させることを特徴とするカニューレ装置。
【請求項１４】
カニューレ装置において：
中心軸に沿って整列された第１の貫通孔を規定する第１のハウジングと；
前記中心軸に沿って前記第１の貫通孔と軸方向に整列した通路を協働して規定する複数の細長剛性部材と；
第２の貫通孔を規定する第２のハウジングであって、前記第１のハウジングに対して前記中心軸に沿って軸方向に移動可能な第２のハウジングと；
トラックによって前記第１のハウジングに接続された複数の細長剛性部材であって、互いに対してスライド可能な相互に係合する部材を含む複数の細長剛性部材と；を具え、
前記第２のハウジングが前記細長剛性部材に動作可能に接続されて、前記中心軸に沿った前記第１のハウジングに対する前記第２のハウジングの軸方向の移動によって、前記複数の細長剛性部材が、前記中心軸に対して外側に斜めに移動して、互いに離れるように移動して前記通路のサイズを増大させることを特徴とするカニューレ装置。
【請求項１５】
請求項１４に記載のカニューレ装置において、前記相互に係合する部材が、前記複数の細長剛性部材上に舌特徴を有し、当該舌特徴が前記第１のハウジングのそれぞれの案内溝内でスライドすることを特徴とするカニューレ装置。
【請求項１６】
請求項１５に記載のカニューレ装置において、前記細長剛性部材が、さらに、前記第２のハウジング内のそれぞれの案内溝内でスライドする第２の舌特徴を有し、前記細長剛性部材を前記第２のハウジングに動作可能に接続することを特徴とするカニューレ装置。
【請求項１７】
請求項１４に記載のカニューレ装置において、前記細長剛性部材のそれぞれが遠位先端を有することを特徴とするカニューレ装置。
【請求項１８】
請求項１７に記載のカニューレ装置において、前記遠位先端が、挿入を容易にするためにテーパが付けられていることを特徴とするカニューレ装置。
【請求項１９】
請求項１４に記載のカニューレ装置において、前記第２のハウジングが、少なくとも部分的に前記第１のハウジングを囲むように構成されていることを特徴とするカニューレ装置。
【請求項２０】
請求項１４に記載のカニューレ装置が、さらに、前記第１の貫通孔と前記第２の貫通孔とを軸方向に整列させるためのセンタリング機構を具えることを特徴とするカニューレ装置。
【請求項２１】
請求項２０に記載のカニューレ装置において、前記センタリング機構が、前記第２のハウジング上の複数の同心特徴と、前記第１のハウジング上の複数の相補的な同心特徴とを有することを特徴とするカニューレ装置。
【請求項２２】
請求項２１に記載のカニューレ装置において、前記同心特徴が複数のピンを有し、前記相補的な同心特徴が、前記複数のピンを受け入れるための複数のレセプタクルを有することを特徴とするカニューレ装置。
【請求項２３】
請求項１４に記載のカニューレ装置が、さらに、前記第１のハウジングの内側に逆止弁を具え、当該逆止弁が、ガスを抜き出して特定の許容圧力範囲に通気領域を維持する、または注入された流体の逆流を防ぐように構成されていることを特徴とするカニューレ装置。
【請求項２４】
請求項１乃至２３のいずれか１項に記載のカニューレ装置が、さらに、前記第１のハウジングの貫通孔内に挿入されて拡張していない通路のすべてを通る閉塞具を具え、前記カニューレ装置を組織に挿入する前に、前記閉塞具の先端が露出していることを特徴とするカニューレ装置。
【請求項２５】
カニューレ装置において：
第１の貫通孔を規定する第１のハウジングと；
前記第１のハウジングに接続された複数の細長剛性部材であって、前記第１の貫通孔と軸方向に整列している通路を協働して規定する複数の細長剛性部材と；
前記第１のハウジングに接続されたハブであって、当該ハブが少なくとも１つの回転可能な特徴を有し、第１の貫通孔を規定するハブと；
少なくとも１つの剛性部材であって、前記複数の細長剛性部材が互いに近いときに、前記通路の断面の内周よりも大きい外周を有する少なくとも１つの剛性部材と；を具え、
前記少なくとも１つの回転可能な特徴が前記少なくとも１つの剛性部材に連結されており、前記少なくとも１つの回転可能な特徴の回転によって、前記少なくとも１つの剛性部材が前記通路に沿って前記通路内に移動し、前記複数の細長剛性部材が互いに離れるように半径方向に移動して前記通路が拡張することを特徴とするカニューレ装置。
【請求項２６】
請求項１乃至２３のいずれか１項に記載のカニューレ装置が、さらに、細長装置によって前記通路内に挿入可能なインサートを具えることを特徴とするカニューレ装置。
【請求項２７】
請求項１乃至２３のいずれか１項に記載のカニューレ装置が、さらに、前記通路内に挿入可能な挿入可能部材を具えることを特徴とするカニューレ装置。
【請求項２８】
請求項２７に記載のカニューレ装置において、前記挿入可能部材の挿入が、前記通路の断面が前記挿入可能部材の断面よりも小さい場合に、前記複数の細長剛性部材を互いに離れるように移動させるように構成されていることを特徴とするカニューレ装置。
【請求項２９】
請求項２７に記載のカニューレ装置において、前記挿入可能部材が内腔を規定し、前記挿入可能部材が、さらに、前記内腔内に配置された少なくとも１つの弁を具えることを特徴とするカニューレ装置。
【請求項３０】
請求項２９に記載のカニューレ装置が、さらに、前記挿入可能部材の内腔を通して挿入可能な第１の閉塞具を具えることを特徴とするカニューレ装置。
【請求項３１】
請求項２７に記載のカニューレ装置において、前記挿入可能部材が、さらに、前記第１のハウジングの外側に延びるハンドルを具えることを特徴とするカニューレ装置。
【請求項３２】
請求項２７に記載のカニューレ装置において、前記複数の細長剛性部材および前記挿入可能部材が、前記複数の細長剛性部材に対する前記挿入可能部材の角度位置を制限するための案内機構を協働して規定し、前記案内機構が、前記挿入可能部材を所定の位置を越えて前記通路内に延在しないように停止させることを特徴とするカニューレ装置。
【請求項３３】
請求項２７に記載のカニューレ装置が、さらに、前記挿入可能部材を前記複数の細長剛性部材に向けて付勢させるための第２の付勢機構具えることを特徴とするカニューレ装置。
【請求項３４】
請求項２７に記載のカニューレ装置において、前記挿入可能部材が、さらに、可撓性のシーリング部材を具え、前記第１のハウジングに対する前記挿入可能部材の移動が、前記シーリング部材を拡張または後退させることを特徴とするカニューレ装置。
【請求項３５】
請求項１乃至２３のいずれか１項に記載のカニューレ装置において、前記複数の細長剛性部材のうちの少なくとも１つが、外面に摩擦面レリーフを有することを特徴とするカニューレ装置。
【請求項３６】
請求項３５に記載のカニューレ装置において、前記摩擦面レリーフが、ラチェット、リブ付き面、ねじ山面、およびピンのうちの少なくとも１つを有するパターンを具え、前記パターンが、作動機構を介して前記複数の細長部材の少なくとも１つの外面から外側に可逆的に移動可能であることを特徴とするカニューレ装置。
【請求項３７】
請求項３６に記載のカニューレ装置において、前記作動機構が、前記複数の細長剛性部材によって規定される前記通路を通る前記挿入可能部材または細長部材を、挿入、除去、または回転させるように構成されていることを特徴とするカニューレ装置。
【請求項３８】
請求項２７に記載のカニューレ装置において、前記挿入可能部材が前記複数の細長剛性部材と協働して、複数の細長部材の隣接する一対の間にシー  ルを形成することを特徴とするカニューレ装置。
【請求項３９】
請求項１乃至２３のいずれか１項に記載のカニューレ装置において、前記複数の細長剛性部材のうちの少なくとも１つが、外面に摩擦面レリーフを有することを特徴とするカニューレ装置。
【請求項４０】
請求項３９に記載のカニューレ装置において、前記摩擦面レリーフが、ラチェット、リブ付き面、ねじ山面、およびピンのうちの少なくとも１つを有するパターンを具え、
前記パターンは移動可能であり、前記複数の細長剛性部材が互いに接しているときに、前記パターンが前記複数の細長剛性部材のうちの少なくとも１つに埋め込まれており、前記複数の細長剛性部材が互いに離れているときに、前記パターンが前記複数の細長剛性部材から突出していることを特徴とするカニューレ装置。
【請求項４１】
請求項１乃至２３のいずれか１項に記載のカニューレ装置において、少なくとも１つのバルーンが、前記複数の細長剛性部材のうちの少なくとも１つの端部に、前記第１のハウジングおよび前記第２のハウジングから離れて配置されていることを特徴とするカニューレ装置。
【請求項４２】
第１の貫通孔を規定する第１のハウジングと、
前記第１の貫通孔と軸方向に整列した通路を協働して規定する複数の細長剛性部材であって、前記第１のハウジングに接続された複数の細長剛性部材と、
第２の貫通孔を規定する第２のハウジングであって、前記第２のハウジングは前記第１のハウジングに対して軸方向に移動可能であり、前記第２のハウジングは、前記第１のハウジングに対する前記第２のハウジングの軸方向移動により前記複数の細長剛性部材が互いに離間して前記通路のサイズを増大させるように、前記細長剛性部材に作動可能に接続される、第２のハウジングと、を備えるカニューレ装置。
【請求項４３】
第１の貫通孔を規定する第１のハウジングと、
前記第１の貫通孔と軸方向に整列した通路を協働して規定する複数の細長剛性部材であって、前記第１のハウジングに接続される複数の細長剛性部材と、
前記通路と軸方向に整列した第２の貫通孔を規定する作動部材と、を備え、
前記第１のハウジングに対する前記作動部材の軸方向移動により前記複数の細長剛性部材が互いに対して径方向に移動する、カニューレ装置。
【請求項４４】
第１の貫通孔を規定する第１のハウジングと、
前記第１のハウジングに接続された複数の細長剛性部材であって、前記第１の貫通孔と軸方向に整列した通路を協働して規定する複数の細長剛性部材と、
前記第１のハウジングを貫通して延在し、前記複数の細長剛性部材のうちの少なくとも１つと接触する作動ピンであって、前記作動ピンは、前記第１の貫通孔の軸に対して螺旋状に移動するように構成され、前記複数の細長剛性部材の径方向の移動は、前記作動ピンが螺旋状に移動する場合に生じる、作動ピンと、を備えるカニューレ装置。
【請求項４５】
第１の貫通孔を規定する第１のハウジングと、
前記第１のハウジングに接続される複数の細長剛性部材であって、前記第１の貫通孔と軸方向に整列した通路を協働して規定する細長剛性部材と、
前記第１のハウジングに接続されるハブであって、少なくとも１つの回転可能な特徴を備え、第２の貫通孔を規定するハブと、
前記複数の細長剛性部材が互いに近付く場合に前記通路の断面の内周よりも大きい外周を有する少なくとも１つの剛性部材と、を備え、
前記少なくとも１つの回転可能な特徴は、前記少なくとも１つの回転可能な部材の回転により前記通路内にかつ前記通路に沿って前記少なくとも１つの剛性部材を移動させて前記複数の細長剛性部材が互いに径方向に離間して移動して前記通路を拡大させるように、前記少なくとも１つの剛性部材に結合される、カニューレ装置。
【請求項４６】
第１の貫通孔を規定する第１のハウジングと、
前記第１のハウジングに接続される複数の細長剛性部材であって、各細長剛性部材が別の細長剛性部材にヒンジにより接続され、通路を協働して規定する複数の細長剛性部材と、
前記複数の細長剛性部材の径方向移動を制限するために前記細長剛性部材の外周周りに配置された圧縮性部材と、を備えるカニューレ装置。
【請求項４７】
カニューレと、
前記カニューレの外壁に配置された少なくとも１つのブレードであって、前記カニューレの外面に面する鋭利な縁と、前記カニューレの内面に面するとげ状突起と、を備える少なくとも１つのブレードと、
前記カニューレの壁の一部に配置され、前記少なくとも１つのブレードを前記カニューレの外面から離間するように付勢する少なくとも１つの付勢機構と、を備え、
前記ブレードは、前記鋭利な縁が前記外壁内に埋め込まれ、前記外面に向かう力が前記とげ状突起加えられない場合に前記とげ状突起が前記内面から露出するように、かつ、前記鋭利な縁が、前記外面に向かって前記とげ状突起に力が加えられる場合に前記外面から露出されるように、移動可能である、カニューレ装置。